【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
入力装置を有するホスト計算機が、ネットワークを介してボリュームを提供するネットワークストレージ装置との導通を確認する、ネットワークストレージ装置の導通確認方法であって、
前記入力装置から、前記ネットワークが採用するネットワーク通信プロトコルよりも上位階層に位置する上位プロトコルでのネットワークストレージ装置の識別子である装置識別子、および、ボリュームの識別子であるボリューム識別子の指定を受け付ける受付ステップと、
前記受付ステップで受け付けた装置識別子およびボリューム識別子により特定されるネットワークストレージ装置のボリュームを、前記ホスト計算機が利用可能か否かを判断するボリューム利用可否判断ステップと、を行い、
前記ボリューム利用可否判断ステップは、
ネットワークストレージ装置毎に、前記受付ステップで受け付けた装置識別子に対応する前記ネットワーク通信プロトコルでのネットワークストレージ装置の識別子であるネットワーク識別子を特定し、当該特定したネットワーク識別子を持つネットワークストレージ装置および前記ホスト計算機間の前記ネットワーク通信プロトコルでの導通確認を行い、その結果を出力装置に出力するネットワーク導通確認ステップと、
前記受付ステップで受け付けた装置識別子を持つネットワークストレージ装置および前記ホスト計算機間の前記上位プロトコルでの接続確認を行い、その結果を前記出力装置に出力するストレージ接続確認ステップと、を有すること
を特徴とするネットワークストレージ装置の導通確認方法。
【請求項２】
請求項１に記載のネットワークストレージ装置の導通確認方法であって、
前記ボリューム利用可否判断ステップは、さらに、
前記受付ステップで受け付けた装置識別子およびボリューム識別子により特定されるネットワークストレージ装置のボリュームに、前記ホスト計算機がアクセス可能であるか否かを確認するアクセス確認を行い、その結果を前記出力装置に出力するアクセス確認ステップと、を有すること
を特徴とするネットワークストレージ装置の導通確認方法。
【請求項３】
請求項１又は２に記載のネットワークストレージ装置の導通確認方法であって、
前記ネットワーク導通確認ステップ、前記ストレージ接続確認ステップおよび前記アクセス確認ステップのそれぞれは、確認結果を当該確認にかかった時間と共に前記出力装置に出力すること
を特徴とするネットワークストレージ装置の導通確認方法。
【請求項４】
請求項２又は３に記載のネットワークストレージ装置の導通確認方法であって、
前記ボリューム利用可否判断ステップは、前記ネットワーク導通確認ステップ、前記ストレージ接続確認ステップ、前記アクセス確認ステップの順番で、これらの確認ステップを実行すること
を特徴とするネットワークストレージ装置の導通確認方法。
【請求項５】
請求項４に記載のネットワークストレージ装置の導通確認方法であって、
前記ボリューム利用可否判断ステップは、前記ネットワーク導通確認ステップあるいは前記ストレージ接続確認ステップにおける確認結果が、導通あるいは接続を確認できなかったことを示している場合、当該結果を出力した確認ステップ以降の確認ステップを実行しないこと
を特徴とするネットワークストレージ装置の導通確認方法。
【請求項６】
請求項１乃至５のいずれか一項に記載のネットワークストレージ装置の導通確認方法であって、
前記ネットワーク通信プロトコルは、ＩＰ（Internet Protocol）であり、
前記ネットワーク識別子は、ＩＰアドレスであり、
前記ネットワーク導通確認ステップは、前記特定したネットワーク識別子を持つネットワークストレージ装置にＰｉｎｇコマンドを送信してその応答を確認することにより、前記導通確認を行うこと
を特徴とするネットワークストレージ装置の導通確認方法。
【請求項７】
請求項１乃至６のいずれか一項に記載のネットワークストレージ装置の導通確認方法であって、
前記上位プロトコルは、ｉＳＣＳＩ（Small Computer Systems Interface protocol over the Internet）であり、
前記装置識別子は、ｉＳＣＳＩネームであり、
前記ストレージ接続確認ステップは、前記受け付けた装置識別子を持つネットワークストレージ装置にｉＳＣＳＩのログインコマンドを送信してその応答データを確認することにより、前記接続確認を行うこと
を特徴とするネットワークストレージ装置の導通確認方法。
【請求項８】
請求項２乃至７のいずれか一項に記載のネットワークストレージ装置の導通確認方法であって、
前記上位プロトコルは、ｉＳＣＳＩ（Small Computer Systems Interface protocol over the Internet）であり、
前記装置識別子は、ｉＳＣＳＩネームであり、
前記ボリューム識別子は、ＬＵＮ（Logical Unit Number）であり、
前記アクセス確認ステップは、前記受け付けた装置識別子を持つネットワークストレージ装置に、前記受け付けたボリューム識別子により特定されるボリュームをマウントするためのｉＳＣＳＩのマウントコマンドを送信してその応答データを確認することにより、前記アクセス確認を行うこと
を特徴とするネットワークストレージ装置の導通確認方法。
【請求項９】
ネットワークを介してボリュームを提供するネットワークストレージ装置との導通を確認するホスト計算機であって、
演算装置と、記憶装置と、入力装置と、出力装置と、前記ネットワークに接続するための通信装置と、を有し
前記記憶装置には、
ネットワークストレージ装置毎に、前記ネットワークが採用するネットワーク通信プロトコルでのネットワークストレージ装置の識別子であるネットワーク識別子と、前記ネットワーク通信プロトコルよりも上位階層に位置する上位プロトコルでのネットワークストレージ装置の識別子である装置識別子との対応関係が登録されたストレージ管理テーブルが記憶されており、
前記演算装置は、
前記入力装置から、装置識別子およびボリュームの識別子であるボリューム識別子の指定を受け付ける処理と、
前記受け付けた装置識別子およびボリューム識別子により特定されるネットワークストレージ装置のボリュームを、前記ホスト計算機が利用可能か否かを判断するボリューム利用可否判断処理と、を行い、
前記ボリューム利用可否判断処理は、
前記ストレージ管理テーブルを参照し、前記受け付けた装置識別子に対応するネットワーク識別子を特定し、前記通信装置を用いて、当該特定したネットワーク識別子を持つネットワークストレージ装置および前記ホスト計算機間の前記ネットワーク通信プロトコルでの導通確認を行い、その結果を出力装置に出力するネットワーク導通確認処理と、
前記通信装置を介して、前記受け付けた装置識別子を持つネットワークストレージ装置および前記ホスト計算機間の前記上位プロトコルでの接続確認を行い、その結果を前記出力装置に出力するストレージ接続確認処理と、
前記通信装置を介して、前記受け付けた装置識別子およびボリューム識別子により特定されるネットワークストレージ装置のボリュームに、前記ホスト計算機がアクセス可能であるか否かを確認し、その結果を前記出力装置に出力するアクセス確認処理と、を有すること
を特徴とするホスト計算機。
【請求項１０】
入力装置を有するホスト計算機が、ネットワークを介してボリュームを提供するネットワークストレージ装置との導通を確認するためのコンピュータ読取り可能なプログラムであって、
前記プログラムは、前記ホスト計算機に、
前記入力装置から、前記ネットワークが採用するネットワーク通信プロトコルよりも上位階層に位置する上位プロトコルでのネットワークストレージ装置の識別子である装置識別子、および、ボリュームの識別子であるボリューム識別子の指定を受け付ける受付ステップと、
前記受付ステップで受け付けた装置識別子およびボリューム識別子により特定されるネットワークストレージ装置のボリュームを、前記ホスト計算機が利用可能か否かを判断するボリューム利用可否判断ステップと、を実行させ、
前記ボリューム利用可否判断ステップは、
ネットワークストレージ装置毎に、前記ネットワーク通信プロトコルでのネットワークストレージ装置の識別子であるネットワーク識別子と装置識別子との対応関係が登録されたストレージ管理テーブルを用いて、前記受付ステップで受け付けた装置識別子に対応するネットワーク識別子を特定し、当該特定したネットワーク識別子を持つネットワークストレージ装置および前記ホスト計算機間の前記ネットワーク通信プロトコルでの導通確認を行い、その結果を出力装置に出力するネットワーク導通確認ステップと、
前記受付ステップで受け付けた装置識別子を持つネットワークストレージ装置および前記ホスト計算機間の前記上位プロトコルでの接続確認を行い、その結果を前記出力装置に出力するストレージ接続確認ステップと、
前記受付ステップで受け付けた装置識別子およびボリューム識別子により特定されるネットワークストレージ装置のボリュームに、前記ホスト計算機がアクセス可能であるか否かを確認するアクセス確認を行い、その結果を前記出力装置に出力するアクセス確認ステップと、を有すること
を特徴とするコンピュータ読取り可能なプログラム。